(57)【要約】  本出願の実施形態が、ネットワークエリア内の無線周波数装置に対してチャネル補正を行うのに用いられるチャネル補正方法を提供する。ネットワークエリア内の無線周波数装置は少なくとも１つの無線周波数装置グループに分類され、それぞれの無線周波数装置グループには複数の無線周波数装置が含まれる。第１の無線周波数装置が設置されている基地局に設定情報が事前設定されており、設定情報は、第１の無線周波数装置が属している無線周波数装置グループ内の各無線周波数装置が補正信号を送信するリソース位置を示すのに用いられ、第１の無線周波数装置はネットワークエリア内の任意の無線周波数装置である。本方法は、第１の無線周波数装置が設置されている基地局によって行われ、設定情報に基づいて補正周期内で、第１の無線周波数装置を制御して第１の補正信号を第１のリソース位置で送信し、第１の補正信号に対応する第１の受信信号を第２の無線周波数装置から受信する段階であって、第１のリソース位置は第１の無線周波数装置が補正信号を送信するリソース位置であり、第２の無線周波数装置は第１の無線周波数装置が属する無線周波数装置グループ内の無線周波数装置である、段階と、設定情報に基づいて補正周期内で、第１の無線周波数装置を介して第２の受信信号を第２のリソース位置で取得する段階であって、第２の受信信号は第２の補正信号に対応し、第２のリソース位置は第２の無線周波数装置が第２の補正信号を送信するリソース位置である、段階と、第１の補正信号、第２の補正信号、第１の受信信号、及び第２の受信信号に基づいて、第１の無線周波数装置のチャネルを補償する段階とを含む。本方法は、複数の無線周波数装置に対して合同チャネル補正を実施して、補正効率を改善することができる。
2019526185.tif 000002
【特許請求の範囲】
【請求項１】
ネットワークエリア内の無線周波数装置に対してチャネル補正を行うのに用いられるチャネル補正方法であって、前記ネットワークエリア内の前記無線周波数装置は少なくとも１つの無線周波数装置グループに分類され、それぞれの無線周波数装置グループには複数の無線周波数装置が含まれ、前記複数の無線周波数装置間の補正経路が到達可能であり、第１の無線周波数装置が設置されている基地局に設定情報が事前設定されており、前記設定情報は、前記第１の無線周波数装置が属している無線周波数装置グループ内の各無線周波数装置が補正信号を送信するリソース位置を示すのに用いられ、前記第１の無線周波数装置は前記ネットワークエリア内の任意の無線周波数装置であり、
前記方法は、
前記第１の無線周波数装置が設置されている前記基地局によって行われ、
前記設定情報に基づいて補正周期内で、前記第１の無線周波数装置を制御して第１の補正信号を第１のリソース位置で送信し、前記第１の補正信号に対応する第１の受信信号を第２の無線周波数装置から取得する段階であって、前記第１のリソース位置は前記第１の無線周波数装置が前記補正信号を送信するリソース位置であり、前記第２の無線周波数装置は前記第１の無線周波数装置が属する前記無線周波数装置グループ内の無線周波数装置である、段階と、
前記設定情報に基づいて前記補正周期内で、前記第１の無線周波数装置を介して第２の受信信号を第２のリソース位置で取得する段階であって、前記第２の受信信号は第２の補正信号に対応し、前記第２のリソース位置は前記第２の無線周波数装置が前記第２の補正信号を送信するリソース位置である、段階と、
前記第１の補正信号、前記第２の補正信号、前記第１の受信信号、及び前記第２の受信信号に基づいて、前記第１の無線周波数装置のチャネルを補償する段階と
を備える、方法。
【請求項２】
前記補正周期は少なくとも１つの補正副周期を含み、前記補正副周期は前記補正周期内の期間であり、前記補正副周期は特定のパラメータに対して補正を行うのに用いられる、請求項１に記載の方法。
【請求項３】
前記ネットワークエリア内の前記無線周波数装置が複数の無線周波数装置グループに分類される場合、前記複数の無線周波数装置グループは、前記特定のパラメータに対する補正を異なる周波数リソースを用いて同じ補正周期内で行う無線周波数装置グループを含む、請求項２に記載の方法。
【請求項４】
前記ネットワークエリア内の前記無線周波数装置が複数の無線周波数装置グループに分類される場合、前記複数の無線周波数装置グループは、第１の無線周波数装置グループと第２の無線周波数装置グループとを含み、前記第１の無線周波数装置グループと前記第２の無線周波数装置グループとの間のアイソレーションが事前設定要件を満たし、前記第１の無線周波数装置グループ内の無線周波数装置及び前記第２の無線周波数装置グループ内の無線周波数装置は、同じリソースを用いて補正信号を送信する、請求項１から３のいずれか一項に記載の方法。
【請求項５】
前記ネットワークエリア内の前記無線周波数装置が複数の無線周波数装置グループに分類される場合、前記複数の無線周波数装置グループは、第３の無線周波数装置グループと第４の無線周波数装置グループとを含み、前記第３の無線周波数装置グループと前記第４の無線周波数装置グループとの間のアイソレーションが事前設定要件を満たさず、前記第３の無線周波数装置グループ内の無線周波数装置及び前記第４の無線周波数装置グループ内の無線周波数装置は、異なるリソースを用いて補正信号を送信する、請求項１から４のいずれか一項に記載の方法。
【請求項６】
前記ネットワークエリア内の前記無線周波数装置が、グループ化要因に基づいて少なくとも１つの無線周波数装置グループに分類され、前記グループ化要因は、アイソレーション要件、前記無線周波数装置間の最大間隔、グループサイズ、及び最大レイヤ数のうち１つ又は複数の要因を含む、請求項１から５のいずれか一項に記載の方法。
【請求項７】
前記ネットワークエリア内の前記無線周波数装置が複数の無線周波数装置グループに分類される場合、それぞれの無線周波数装置グループにグループ識別子が割り当てられる、請求項１から６のいずれか一項に記載の方法。
【請求項８】
無線周波数装置グループＩＤが、アイソレーションが事前設定要件を満たしている無線周波数装置グループ同士の［グループ識別子  ｍｏｄ  Ｎ］の演算結果が同じになり、アイソレーションが事前設定要件を満たしていない無線周波数装置グループ同士の［グループＩＤ  ｍｏｄ  Ｎ］の演算結果が異なるという要件を満たし、Ｎは、補正周期内の無線周波数装置グループの数を表す、請求項７に記載の方法。
【請求項９】
前記グループ識別子は、前記無線周波数装置グループ間の補正リソースの割り当てに用いられる、請求項８に記載の方法。
【請求項１０】
前記無線周波数装置グループ間の前記補正リソースの前記割り当てに関する基準が、［グループＩＤ  ｍｏｄ  Ｎ］の演算結果が同じになる無線周波数装置グループには同じ補正リソースが割り当てられることと、［グループＩＤ  ｍｏｄ  Ｎ］の演算結果が異なる無線周波数装置グループには異なる補正リソースが割り当てられることとを含む、請求項９に記載の方法。
【請求項１１】
前記第１の無線周波数装置が設置されている前記基地局によって、前記第１の無線周波数装置を制御して複数の補正周期において補正信号を複数の事前設定順序で送信する段階であって、各順序は、前記第１の無線周波数装置が属する前記無線周波数装置グループ内の無線周波数装置によって補正信号を送信するための順序を示す、段階と、
前記第１の無線周波数装置が設置されている前記基地局によって、最も高い補正効率に対応する順序を最適補正経路として選択する段階と、
前記第１の無線周波数装置が設置されている前記基地局によって、前記最適補正経路に基づいて次の補正を行う段階と
をさらに備える、請求項１から１０のいずれか一項に記載の方法。
【請求項１２】
前記第１の無線周波数装置が属する前記無線周波数装置グループは第３の無線周波数装置を含み、前記第３の無線周波数装置は前記第２の無線周波数装置又は前記第４の無線周波数装置を介して前記第１の無線周波数装置とのチャネル補正を実施する、請求項１から１１のいずれか一項に記載の方法。
【請求項１３】
前記第１の無線周波数装置が属する前記無線周波数装置グループは複数の第２の無線周波数装置を含み、前記複数の第２の無線周波数装置は前記第１の補正信号を同時に受信し、前記複数の第２の無線周波数装置の第２のリソース位置が互いに異なる、請求項１から１２のいずれか一項に記載の方法。
【請求項１４】
ネットワークエリア内の無線周波数装置に対してチャネル補正を行うように構成されたチャネル補正装置であって、前記ネットワークエリア内の前記無線周波数装置は少なくとも１つの無線周波数装置グループに分類され、それぞれの無線周波数装置グループには複数の無線周波数装置が含まれ、前記複数の無線周波数装置間の補正経路が到達可能であり、第１の無線周波数装置が設置されている基地局に設定情報が事前設定されており、前記設定情報は、前記第１の無線周波数装置が属している無線周波数装置グループ内の各無線周波数装置が補正信号を送信するリソース位置を示すのに用いられ、前記第１の無線周波数装置は前記ネットワークエリア内の任意の無線周波数装置であり、
前記チャネル補正装置は、
前記第１の無線周波数装置が設置されている前記基地局に設置され、
前記設定情報に基づいて補正周期内で、前記第１の無線周波数装置を制御して第１の補正信号を第１のリソース位置で送信し、前記第１の補正信号に対応する第１の受信信号を第２の無線周波数装置から取得するように構成された第１の制御ユニットであって、前記第１のリソース位置は前記第１の無線周波数装置が前記補正信号を送信するリソース位置であり、前記第２の無線周波数装置は前記第１の無線周波数装置が属する前記無線周波数装置グループ内の無線周波数装置である、第１の制御ユニットと、
前記設定情報に基づいて前記補正周期内で、前記第１の無線周波数装置を介して第２の受信信号を第２のリソース位置で取得するように構成された取得ユニットであって、前記第２の受信信号は第２の補正信号に対応し、前記第２のリソース位置は前記第２の無線周波数装置が前記第２の補正信号を送信するリソース位置である、取得ユニットと、
前記第１の補正信号、前記第２の補正信号、前記第１の受信信号、及び前記第２の受信信号に基づいて、前記第１の無線周波数装置のチャネルを補償するように構成された補償ユニットと
を備える、装置。
【請求項１５】
前記補正周期は少なくとも１つの補正副周期を含み、前記補正副周期は前記補正周期内の期間であり、前記補正副周期は特定のパラメータに対して補正を行うのに用いられる、請求項１４に記載の装置。
【請求項１６】
前記ネットワークエリア内の前記無線周波数装置が複数の無線周波数装置グループに分類される場合、前記複数の無線周波数装置グループは、前記特定のパラメータに対する補正を異なる周波数リソースを用いて同じ補正周期内で行う無線周波数装置グループを含む、請求項１５に記載の装置。
【請求項１７】
前記ネットワークエリア内の前記無線周波数装置が複数の無線周波数装置グループに分類される場合、前記複数の無線周波数装置グループは、第１の無線周波数装置グループと第２の無線周波数装置グループとを含み、前記第１の無線周波数装置グループと前記第２の無線周波数装置グループとの間のアイソレーションが事前設定要件を満たし、前記第１の無線周波数装置グループ内の無線周波数装置及び前記第２の無線周波数装置グループ内の無線周波数装置は、同じリソースを用いて補正信号を送信する、請求項１４から１６のいずれか一項に記載の装置。
【請求項１８】
前記ネットワークエリア内の前記無線周波数装置が複数の無線周波数装置グループに分類される場合、前記複数の無線周波数装置グループは、第３の無線周波数装置グループと第４の無線周波数装置グループとを含み、前記第３の無線周波数装置グループと前記第４の無線周波数装置グループとの間のアイソレーションが事前設定要件を満たさず、前記第３の無線周波数装置グループ内の無線周波数装置及び前記第４の無線周波数装置グループ内の無線周波数装置は、異なるリソースを用いて補正信号を送信する、請求項１４から１７のいずれか一項に記載の装置。
【請求項１９】
前記ネットワークエリア内の前記無線周波数装置が、グループ化要因に基づいて少なくとも１つの無線周波数装置グループに分類され、前記グループ化要因は、アイソレーション要件、前記無線周波数装置間の最大間隔、グループサイズ、及び最大レイヤ数のうち１つ又は複数の要因を含む、請求項１４から１８のいずれか一項に記載の装置。
【請求項２０】
前記ネットワークエリア内の前記無線周波数装置が複数の無線周波数装置グループに分類される場合、それぞれの無線周波数装置グループにグループ識別子が割り当てられる、請求項１４から１９のいずれか一項に記載の装置。
【請求項２１】
無線周波数装置グループＩＤが、アイソレーションが事前設定要件を満たしている無線周波数装置グループ同士の［グループ識別子  ｍｏｄ  Ｎ］の演算結果が同じになり、アイソレーションが事前設定要件を満たしていない無線周波数装置グループ同士の［グループＩＤ  ｍｏｄ  Ｎ］の演算結果が異なるという要件を満たし、Ｎは、補正周期内の無線周波数装置グループの数を表す、請求項２０に記載の装置。
【請求項２２】
前記グループ識別子は、前記無線周波数装置グループ間の補正リソースの割り当てに用いられる、請求項２１に記載の装置。
【請求項２３】
前記無線周波数装置グループ間の前記補正リソースの前記割り当てに関する基準が、［グループＩＤ  ｍｏｄ  Ｎ］の演算結果が同じになる無線周波数装置グループには同じ補正リソースが割り当てられることと、［グループＩＤ  ｍｏｄ  Ｎ］の演算結果が異なる無線周波数装置グループには異なる補正リソースが割り当てられることとを含む、請求項２２に記載の装置。
【請求項２４】
前記第１の無線周波数装置を制御して複数の補正周期において補正信号を複数の事前設定順序で送信するように構成された第２の制御ユニットであって、各順序は、前記第１の無線周波数装置が属する前記無線周波数装置グループ内の無線周波数装置によって補正信号を送信するための順序を示す、第２の制御ユニットと、
最も高い補正効率に対応する順序を最適補正経路として選択するように構成された選択ユニットと、
前記最適補正経路に基づいて行われる次の補正をトリガするように構成されたトリガユニットと
をさらに備える、請求項１４から２３のいずれか一項に記載の装置。
【請求項２５】
前記第１の無線周波数装置が属する前記無線周波数装置グループは第３の無線周波数装置を含み、前記第３の無線周波数装置は前記第２の無線周波数装置又は前記第４の無線周波数装置を介して前記第１の無線周波数装置とのチャネル補正を実施する、請求項１４から２４のいずれか一項に記載の装置。
【請求項２６】
前記第１の無線周波数装置が属する前記無線周波数装置グループは複数の第２の無線周波数装置を含み、前記複数の第２の無線周波数装置は前記第１の補正信号を同時に受信し、前記複数の第２の無線周波数装置の第２のリソース位置が互いに異なる、請求項１４から２５のいずれか一項に記載の装置。
【請求項２７】
少なくとも１つの基地局を含む通信システムであって、前記少なくとも１つの基地局の無線周波数装置が少なくとも１つの無線周波数装置グループに分類され、それぞれの無線周波数装置グループには複数の無線周波数装置が含まれ、前記複数の無線周波数装置間の補正経路が到達可能であり、第１の無線周波数装置が設置されている基地局に設定情報が事前設定されており、前記設定情報は、前記第１の無線周波数装置が属している無線周波数装置グループ内の各無線周波数装置が補正信号を送信するリソース位置を示すのに用いられ、前記第１の無線周波数装置は前記ネットワークエリア内の任意の無線周波数装置であり、前記第１の無線周波数装置が設置されている前記基地局は、請求項１４から２６のいずれか一項に記載のチャネル補正装置を含む、通信システム。
【発明の詳細な説明】
【技術分野】
【０００１】
本発明の実施形態は、無線通信技術の分野に関し、特に、チャネル補正方法及びチャネル補正装置並びに通信システムに関する。
【背景技術】
【０００２】
無線通信システムでは、重複したセルカバレッジが端末に干渉を引き起こすことがある。図１を参照すると、基地局１１１及び基地局１１２は重複したカバレッジエリアを有し、重複したカバレッジエリア内の端末が、当該端末のサービング基地局以外の基地局によって干渉を受けることがある。
図に示す破線が干渉を表し、実線が所望の信号を表している。例えば、端末１１３のサービング基地局が基地局１１１であり、端末１１３は基地局１１２によって干渉を受ける。端末１１４のサービング基地局が基地局１１２であり、端末１１３は基地局１１１によって干渉を受ける。
【０００３】
通信技術の発展と共に、分散型多入力多出力（ｄｉｓｔｒｉｂｕｔｅｄ  ｍｕｌｔｉｐｌｅ−ｉｎｐｕｔ  ｍｕｌｔｉｐｌｅ−ｏｕｔｐｕｔ、ＤＭＩＭＯ）技術が導入されてきた。ＤＭＩＭＯシナリオでは、無線周波数装置が個別に展開されてよい。重複したカバレッジを有する複数の無線周波数装置がグループを形成してよい。そのグループ内の無線周波数装置は、ある端末に対して合同送信を行い、干渉がエネルギーに変換される。図２を参照すると、図１と比較した場合、干渉を所望の信号に変換し、また干渉をエネルギーに変換するのにＤＭＩＭＯ技術が用いられ、その結果、システム容量が増加し、エッジ端末における体験が改善される。
【０００４】
無線周波数装置のチャネル補正が、ＤＭＩＭＩＯを実施するための必要条件である。チャネル補正を用いると、グループ内の無線周波数装置のチャネルが同じ遅延時間を有し、これにより、無線周波数装置によって送信される信号が、端末に到達したときに同相で足し合わされ得、その結果、端末によって受信されるダウンリンク信号の強度が高められる。
【０００５】
既存の多入力多出力（ｍｕｌｔｉｐｌｅ−ｉｎｐｕｔ  ｍｕｌｔｉｐｌｅ−ｏｕｔｐｕｔ、ＭＩＭＯ）技術では、補正信号が単一の無線周波数装置に送信されるので、チャネル補正は単一の無線周波数装置で行われるだけである。言い換えれば、補正が行われるのは、１つの無線周波数装置の複数の無線周波数チャネルだけである。無線周波数装置の無線周波数チャネルは、同じクロックソース、同じクロック発振器、及び基本的に同じ外部環境（温度、光照射、及び風向など）を有するので、各無線周波数チャネルの振幅及び位相の特性は比較的ゆっくりと変化し、変化傾向も基本的に同じである。したがって、単一のＲＲＵのチャネル補正周期はたいてい長く、分レベルであれば十分である。
【０００６】
ＤＭＩＭＯシナリオにおけるチャネル補正の場合、チャネル補正は複数の無線周波数装置間で行われる。無線周波数装置が設置されている異なる環境、異なる光ファイバ長、異なるクロックソースなどの影響によって、無線周波数装置間の位相が短時間で変化し、変化傾向にも一貫性がない。既存の補正方法では、ＤＭＩＭＯの性能要件を満たすことができないので、より短時間のチャネル補正が必要とされる。
【発明の概要】
【０００７】
このような事情を踏まえて、本発明の実施形態は、チャネル補正方法及びチャネル補正装置並びに通信システムを提供して、チャネル補正効率を改善する。
【０００８】
第１の態様によれば、ネットワークエリア内の無線周波数装置に対してチャネル補正を行うためのチャネル補正方法が提供される。ネットワークエリア内の無線周波数装置は少なくとも１つの無線周波数装置グループに分類され、それぞれの無線周波数装置グループには複数の無線周波数装置が含まれる。複数の無線周波数装置間の補正経路が到達可能であり、第１の無線周波数装置が設置されている基地局に設定情報が事前設定されており、設定情報は、第１の無線周波数装置が属している無線周波数装置グループ内の各無線周波数装置が補正信号を送信するリソース位置を示すのに用いられ、第１の無線周波数装置はネットワークエリア内の任意の無線周波数装置である。本方法は、第１の無線周波数装置が設置されている基地局によって行われ、設定情報に基づいて補正周期内で、第１の無線周波数装置を制御して第１の補正信号を第１のリソース位置で送信し、第１の補正信号に対応する第１の受信信号を第２の無線周波数装置から取得する段階であって、第１のリソース位置は第１の無線周波数装置が補正信号を送信するリソース位置であり、第２の無線周波数装置は第１の無線周波数装置が属する無線周波数装置グループ内の無線周波数装置である、段階と、設定情報に基づいて補正周期内で、第１の無線周波数装置を介して第２の受信信号を第２のリソース位置で取得する段階であって、第２の受信信号は第２の補正信号に対応し、第２のリソース位置は第２の無線周波数装置が第２の補正信号を送信するリソース位置である、段階と、第１の補正信号、第２の補正信号、第１の受信信号、及び第２の受信信号に基づいて、第１の無線周波数装置のチャネルを補償する段階とを含む。
【０００９】
第２の態様によれば、ネットワークエリア内の無線周波数装置に対してチャネル補正を行うためのチャネル補正装置が提供される。ネットワークエリア内の無線周波数装置は少なくとも１つの無線周波数装置グループに分類され、それぞれの無線周波数装置グループには複数の無線周波数装置が含まれる。複数の無線周波数装置間の補正経路が到達可能であり、第１の無線周波数装置が設置されている基地局に設定情報が事前設定されており、設定情報は、第１の無線周波数装置が属している無線周波数装置グループ内の各無線周波数装置が補正信号を送信するリソース位置を示すのに用いられ、第１の無線周波数装置はネットワークエリア内の任意の無線周波数装置である。チャネル補正装置は、第１の無線周波数装置が設置されている基地局に設置され、第１の態様の各段階を行うためのユニット又は手段（ｍｅａｎｓ）を含む。例えば、チャネル補正装置は、設定情報に基づいて補正周期内で、第１の無線周波数装置を制御して第１の補正信号を第１のリソース位置で送信し、第１の補正信号に対応する第１の受信信号を第２の無線周波数装置から取得するように構成された第１の制御ユニットであって、第１のリソース位置は第１の無線周波数装置が補正信号を送信するリソース位置であり、第２の無線周波数装置は第１の無線周波数装置が属する無線周波数装置グループ内の無線周波数装置である、第１の制御ユニットと、設定情報に基づいて補正周期内で、第１の無線周波数装置を介して第２の受信信号を第２のリソース位置で取得するように構成された取得ユニットであって、第２の受信信号は第２の補正信号に対応し、第２のリソース位置は第２の無線周波数装置が第２の補正信号を送信するリソース位置である、取得ユニットと、第１の補正信号、第２の補正信号、第１の受信信号、及び第２の受信信号に基づいて、第１の無線周波数装置のチャネルを補償するように構成された補償ユニットとを含む。ユニット又は手段は、ソフトウェア方式若しくはハードウェア方式で実現されてよく、又はソフトウェアとハードウェアとの組み合わせを用いて実現されてもよい。
【００１０】
第３の態様によれば、少なくとも１つの基地局を含む通信システムが提供される。少なくとも１つの基地局の無線周波数装置が少なくとも１つの無線周波数装置グループに分類され、それぞれの無線周波数装置グループには複数の無線周波数装置が含まれる。複数の無線周波数装置間の補正経路が到達可能であり、第１の無線周波数装置が設置されている基地局に設定情報が事前設定されており、設定情報は、第１の無線周波数装置が属している無線周波数装置グループ内の各無線周波数装置が補正信号を送信するリソース位置を示すのに用いられ、第１の無線周波数装置はネットワークエリア内の任意の無線周波数装置である。第１の無線周波数装置が設置されている基地局は、第２の態様のチャネル補正装置を含む。
【００１１】
第４の態様によれば、プログラムが提供される。このプログラムは、プロセッサによって実行された場合、第１の態様の方法を実行するのに用いられる。
【００１２】
第５の態様によれば、コンピュータ可読記憶媒体などの、第４の態様のプログラムを含むプログラム製品が提供される。
【００１３】
上述の態様では、ネットワークエリア内の無線周波数装置がグループ化され、無線周波数装置グループ内の各無線周波数装置の補正リソース位置が事前設定されることが分かる。このように、グループ内の各無線周波数装置は、設定情報に基づいて、それぞれの補正リソース位置で補正信号を送信し、その他の無線周波数装置の一部又は全ての補正リソース位置で補正信号を受信する。補正リソースを毎回設定する必要がなく、多数の設定シグナリングを節約し、チャネル補正効率を改善することができる。
【００１４】
複数の無線周波数装置間の補正経路が到達可能であるということは、無線周波数装置グループ内の任意の２つの無線周波数装置の間のチャネル補正が直接行われてもよく、又はその２つの無線周波数装置と中間無線周波数装置との間のチャネル補正を通じて行われてもよいことを意味する。中間無線周波数装置は１つ又は複数あってよい。
【００１５】
１つの実装例では、無線周波数装置グループ内に１つの中間無線周波数装置がある。例えば、上述の態様において、第１の無線周波数装置が属する無線周波数装置グループは第３の無線周波数装置を含み、第３の無線周波数装置は第２の無線周波数装置又は第４の無線周波数装置を介して第１の無線周波数装置とのチャネル補正を実施する。
【００１６】
１つの実装例では、ある無線周波数装置によって送信された補正信号を同時に受信する複数の無線周波数装置が無線周波数装置グループ内にあってよい。先行技術の対ごとのシリアルチャネル補正方式と比較すると、この方法はさらに、補正効率を改善することができる。例えば、上述の態様において、第１の無線周波数装置が属する無線周波数装置グループは複数の第２の無線周波数装置を含んでよく、複数の第２の無線周波数装置は第１の補正信号を同時に受信し、複数の第２の無線周波数装置の第２のリソース位置が互いに異なる。
【００１７】
１つの実装例では、無線周波数装置グループ間の補正リソースがアイソレーションに基づいて計画されてよく、これにより、高アイソレーションの無線周波数装置グループ間で補正リソースが再利用される。例えば、上述の態様において、ネットワークエリア内の無線周波数装置が複数の無線周波数装置グループに分類される場合、複数の無線周波数装置グループは、第１の無線周波数装置グループと第２の無線周波数装置グループとを含み、第１の無線周波数装置グループと第２の無線周波数装置グループとの間のアイソレーションが事前設定要件を満たし、第１の無線周波数装置グループ内の無線周波数装置及び第２の無線周波数装置グループ内の無線周波数装置は、同じリソースを用いて補正信号を送信する。別の例の場合、複数の無線周波数装置グループは第３の無線周波数装置グループと第４の無線周波数装置グループとを含み、第３の無線周波数装置グループと第４の無線周波数装置グループとの間のアイソレーションが事前設定要件を満たさず、第３の無線周波数装置グループ内の無線周波数装置及び第４の無線周波数装置グループ内の無線周波数装置は、異なるリソースを用いて補正信号を送信する。
【００１８】
アイソレーションとは、２つの無線周波数装置間の相互干渉の程度である。アイソレーションが低いと干渉が多いことを示し、アイソレーションが高いと干渉が少ないことを示す。アイソレーションが、信号強度を用いて表され得る。例えば、無線周波数装置Ａが信号を送信し、無線周波数装置Ｂが信号を受信する。受信信号の強度が、無線周波数装置Ａと無線周波数装置Ｂとの間のアイソレーションを表す。
【００１９】
無線周波数装置グループ間のアイソレーションが事前設定要件を満たしているということは、２つの無線周波数装置グループのうちの一方のグループ内の各無線周波数装置と、２つの無線周波数装置グループのもう一方のグループ内の各無線周波数装置との間のアイソレーションが事前設定要件を満たしていることを意味する。
【００２０】
１つの実装例では、ネットワークエリア内の無線周波数装置は、グループ化要因に基づいてグループ化されてよい。グループ化要因は、以下の要因のうち１つ又は複数を含んでよい。すなわち、アイソレーション要件、無線周波数装置間の最大間隔、グループサイズ、及び最大レイヤ数である。アイソレーション要件と１つ又は複数の他の要因との組み合わせがグループ化のために選択され得るのが好ましい。
【００２１】
グループ化が完了した後に、グループ識別子（ＩＤ）がそれぞれの無線周波数装置グループに割り当てられてよく、グループＩＤは補正リソースを割り当てる際に用いられてよい。例えば、上述の態様において、無線周波数装置グループＩＤが以下の要件を満たす。すなわち、アイソレーションが事前設定要件を満たしている無線周波数装置グループ同士の［グループＩＤ  ｍｏｄ  Ｎ］の演算結果が同じになり、アイソレーションが事前設定要件を満たしていない無線周波数装置グループ同士の［グループ識別子  ｍｏｄ  Ｎ］の演算結果が異なり、Ｎは、補正周期内の無線周波数装置グループの数を表す。補正リソースを割り当てる基準には以下のことが含まれる。すなわち、［グループＩＤ  ｍｏｄ  Ｎ］の演算結果が同じになる無線周波数装置グループには同じ補正リソースが割り当てられることと、［グループＩＤ  ｍｏｄ  Ｎ］の演算結果が異なる無線周波数装置グループには異なる補正リソースが割り当てられることとである。一例として、時間リソースが用いられる。［グループＩＤ  ｍｏｄ  Ｎ］の演算結果が同じになる無線周波数装置グループ用の補正リソースは同じ時間位置に割り当てられ、［グループＩＤ  ｍｏｄ  Ｎ］の演算結果が異なる無線周波数装置グループ用の補正リソースは異なる時間位置に割り当てられる。このように、補正リソースの割り当ては、グループＩＤが割り当てられた後に簡略化できる。これにより、補正リソースの割り当てはより短時間になり、補正リソースの衝突によって生じる干渉を効果的に減少させることができる。
【００２２】
１つの実装例では、複数の補正順序が設計されてよく、最も高い補正効率に対応する補正順序が、複数の補正順序に基づいて生成された補正結果に基づく最適補正経路として選択される。最適補正経路は、補正効率をさらに改善するために次の補正処理に用いられる。例えば、第１の態様で提供される方法はさらに、最適補正経路を選択する処理を含んでよく、この処理は、第１の無線周波数装置が設置されている基地局によって、第１の無線周波数装置を制御して複数の補正周期において補正信号を複数の事前設定順序で送信する段階であって、各順序は、第１の無線周波数装置が属する無線周波数装置グループ内の無線周波数装置によって補正信号を送信するための順序を示す、段階と、第１の無線周波数装置が設置されている基地局によって、最も高い補正効率に対応する順序を最適補正経路として選択する段階と、第１の無線周波数装置が設置されている基地局によって、最適補正経路に基づいて次の補正を行う段階とを含む。
【００２３】
別の例の場合、第２の態様で提供される装置はさらに、光学補正経路を選択する処理の各段階を行うためのユニット又は手段を含む。例えば、本装置は、第１の無線周波数装置を制御して複数の補正周期において補正信号を複数の事前設定順序で送信するように構成された第２の制御ユニットであって、各順序は、第１の無線周波数装置が属する無線周波数装置グループ内の無線周波数装置によって補正信号を送信するための順序を示す、第２の制御ユニットと、最も高い補正効率に対応する順序を最適補正経路として選択するように構成された選択ユニットと、最適補正経路に基づいて行われる次の補正をトリガするように構成されたトリガユニットとを含む。
【００２４】
１つの実装例において、補正周期はさらに複数の期間に分割されてよく、これらの期間のうち１つ又は複数が特定のパラメータに対して補正を行うのに用いられてよい。このように、階層的な補正を実施することができ、これにより、特定のパラメータに対してより短時間の補正周期を実現することができ、補正効率がさらに改善され得る。例えば、上述の態様において、補正周期は少なくとも１つの補正副周期を含み、補正副周期は補正周期内の期間であり、補正副周期は特定のパラメータに対して補正を行うのに用いられる。
【００２５】
さらに、特定のパラメータに対する補正が、異なる周波数リソースを用いて同じ補正周期内で複数の無線周波数装置グループ間で行われてよい。例えば、上述の態様において、ネットワークエリア内の無線周波数装置が複数の無線周波数装置グループに分類される場合、複数の無線周波数装置グループは、特定のパラメータに対する補正を異なる周波数リソースを用いて同じ補正周期内で行う無線周波数装置グループを含む。
【図面の簡単な説明】
【００２６】
本発明の実施形態の技術的解決手段をより明確に説明するために、以下では、これらの実施形態を説明するのに必要な添付図面を簡潔に説明する。以下の説明における添付図面は本発明の一部の実施形態を示すものであり、当業者であれば、創造的努力をすることなく、これらの添付図面から他の図面を抽出できることは明らかである。
【００２７】
【図１】重複したセルカバレッジによって引き起こされる端末の干渉の概略図である。
【００２８】
【図２】ＤＭＩＭＯシナリオの概略図である。
【００２９】
【図３】本出願の一実施形態による通信システムの概略図である。
【００３０】
【図４】本出願の一実施形態によるチャネル補正方法のシナリオに関する概略図である。
【００３１】
【図５】本出願の一実施形態による別のチャネル補正方法のシナリオに関する概略図である。
【００３２】
【図６】本出願の一実施形態によるチャネル補正方法のフローチャートである。
【００３３】
【図７】本出願の一実施形態によるチャネル補正方法において補正経路を決定するフローチャートである。
【００３４】
【図８】本出願の一実施形態によるチャネル補正装置の概略図である。
【００３５】
【図９】本出願の一実施形態による別のチャネル補正装置の概略図である。
【００３６】
【図１０】本出願の一実施形態による基地局の概略構造図である。
【発明を実施するための形態】
【００３７】
本発明の目的、技術的解決手段、及び利点をより明確にするために、以下では、添付図面を参照して本発明の実施形態の技術的解決手段を説明する。説明される実施形態は、本発明の実施形態の全てではなく一部であることは明らかである。本発明の実施形態に基づいて、当業者が創造的努力をすることなく取得する他の全ての実施形態は、本発明の保護範囲に含まれるものとする。
【００３８】
以下では、当業者が理解しやすいように、本出願内の一部の用語を説明する。
【００３９】
（１）端末とは、ユーザ機器（ｕｓｅｒ  ｅｑｕｉｐｍｅｎｔ、ＵＥ）とも呼ばれ、音声接続及び／又はデータ接続をユーザに提供するデバイスであり、例えば、無線接続機能を備えたハンドヘルド型デバイス又は車載デバイスである。一般的な端末には、例えば、携帯電話、タブレットコンピュータ、ノートブックコンピュータ、パームトップコンピュータ、モバイルインターネットデバイス（ｍｏｂｉｌｅ  ｉｎｔｅｒｎｅｔ  ｄｅｖｉｃｅ、ＭＩＤ）、又はスマートウォッチ、スマートバンド、若しくは歩数計などのウェアラブルデバイスが含まれる。
【００４０】
（２）基地局とは、無線アクセスネットワーク（ｒａｄｉｏ  ａｃｃｅｓｓ  ｎｅｔｗｏｒｋ、ＲＡＮ）デバイスとも呼ばれ、端末を無線ネットワークに接続するデバイスであり、限定されるものではないが、進化型ノードＢ（ｅｖｏｌｖｅｄ  Ｎｏｄｅ  Ｂ、ｅＮＢ）、無線ネットワーク制御装置（ｒａｄｉｏ  ｎｅｔｗｏｒｋ  ｃｏｎｔｒｏｌｌｅｒ、ＲＮＣ）、ノードＢ（Ｎｏｄｅ  Ｂ、ＮＢ）、基地局制御装置（ｂａｓｅ  ｓｔａｔｉｏｎ  ｃｏｎｔｒｏｌｌｅｒ、ＢＳＣ）、ベーストランシーバ基地局（ｂａｓｅ  ｔｒａｎｓｃｅｉｖｅｒ  ｓｔａｔｉｏｎ、ＢＴＳ）、ホーム進化型ノードＢ若しくはホームノードＢ（例えば、Ｈｏｍｅ  ｅｖｏｌｖｅｄ  ＮｏｄｅＢ又はＨｏｍｅ  Ｎｏｄｅ  Ｂ、ＨＮＢ）、又はベースバンドユニット（ｂａｓｅ  ｂａｎｄ  ｕｎｉｔ、ＢＢＵ）を含む。さらに、基地局は、ＷｉＦｉアクセスポイント（ａｃｃｅｓｓ  ｐｏｉｎｔ、ＡＰ）などを含んでよい。
【００４１】
（３）アイソレーションが、２つの無線周波数装置間の相互干渉の程度を表すのに用いられる。アイソレーションが低いと干渉が多いことを示し、アイソレーションが高いと干渉が少ないことを示す。
【００４２】
（４）補正リソースとは、補正信号を送信するのに用いられるリソースを意味する。
【００４３】
（５）「複数の（ａ  ｐｌｕｒａｌｉｔｙ  ｏｆ）」は、２つ又は２つより多くを意味し、例えば、「複数の」は、２つ又は２つより多くを意味する。「及び／又は」という用語は、関連対象物の相関関係を表現するものであり、３つの関係が存在し得ることを表す。例えば、Ａ及び／又はＢとは、以下の３つの場合を表し得る。すなわち、Ａだけが存在する場合、Ａ及びＢの両方が存在する場合、そしてＢだけが存在する場合である。「／」という記号は一般に、この記号の前後にある関連対象物の間で「又は（ｏｒ）」の関係を示す。
【００４４】
図３を参照すると、図３は、本出願の一実施形態による通信システムの概略図である。図３に示すように、この通信システムには、複数の無線周波数装置３１０−１〜３１０−Ｎが含まれ、これらの無線周波数装置は分散方式で配置されている。さらに、これらの無線周波数装置は、ベースバンド装置から離れて配置されてよい。すなわち、これらの無線周波数装置は、ベースバンド装置から特定の距離だけ離れて配置されてよく、各ベースバンド装置は１つ又は複数の無線周波数装置に接続されてよい。図中のベースバンド装置３３０は、これらの無線周波数装置に対応するベースバンド装置の集合名であり、個別に示されてはいない。これらの無線周波数装置に対応するベースバンド装置は同じベースバンド装置であってよく、又は異なるベースバンド装置であってもよい。無線周波数装置の一部は同じベースバンド装置に接続されてよい。
さらに、これらの無線周波数装置に対応するベースバンド装置は、ベースバンドクラウドとして集中方式で配置されてもよい。例えば、無線周波数装置は遠隔無線ユニット（ｒｅｍｏｔｅ  ｒａｄｉｏ  ｕｎｉｔ、ＲＲＵ）であり、ベースバンド装置はＢＢＵである。これらのＲＲＵは、光ファイバを介してＢＢＵから離れて配置される。これらのＲＲＵに対応するＢＢＵは、ＢＢＵクラウド（Ｃｌｏｕｄ  ＢＢ）を形成するために一緒に配置されてよい。
【００４５】
無線周波数装置３１０−１〜３１０−Ｎのカバレッジ内で、複数の端末３２０−１〜３２０−Ｋが無線ネットワークにアクセスする。３１０−１〜３１０−ＮのＮ個の無線周波数装置のアンテナ数に基づいて、送信アンテナチャネル数がＭであり、チャネルマトリックスがＭ×Ｋであることが決定されてよい。チャネルマトリックスは転置され、転置されたマトリックスがチャネルマトリックスで乗算され、Ｋ次元の送受信機マトリックスを取得する。Ｎ、Ｍ、及びＫは全て正の整数である。Ｋ次元の送受信機マトリックスは、Ｋ個の直交送信ベクトルを形成してよく、各直交送信ベクトルは端末に役立つ。基地局が、直交送信ベクトルを用いて端末データに重み付けを行い、直交端末データが互いに干渉することなく同時に合同で送信される。
【００４６】
上述の通信システムがＤＭＩＭＯシナリオで動作する場合、無線周波数装置のチャネルに同じ遅延時間を持たせるために、複数の無線周波数装置間のチャネル補正が必要になり、これにより、信号が端末に到達したときに、無線周波数装置によって送信される信号が同相で足し合わされ得ることが分かる。
【００４７】
現在の補正方式は、複数の無線周波数装置のうちの２つの間での補正であり、無線周波数装置の各対の間で連続して補正が行われる。比較的多数の無線周波数装置がある場合、補正周期が分（ｍｉｎ）レベルにならざるを得ない。しかしながら、無線周波数装置の無線インタフェースチャネルは外部環境（温度、光照射、及び風向など）によって著しく影響を受け、ベースバンド装置、クロックソースなどに接続される光ファイバの長さも異なり得る。したがって、各補正後に、無線周波数装置間の位相差が、場合によって短時間で著しく変化する。その結果、現在の補正方法では、ＤＭＩＭＯの性能要件を満たすことができない。このため、より短時間のチャネル補正が必要になる。
【００４８】
上記の問題を考慮して、本出願の一実施形態において提供されるチャネル補正方式が、チャネル補正問題をより短時間で解決し得る。本出願のこの実施形態において、ネットワークエリア内の無線周波数装置が少なくとも１つの無線周波数装置グループ（無線周波数装置クラスタとも呼ばれる）に分類される。無線周波数装置グループには複数の無線周波数装置が含まれ、補正信号が送信されるリソース位置である補正リソース位置が、無線周波数装置グループ内の各無線周波数装置に対して設定される。これらのリソース位置は、無線周波数装置が設置されている基地局に設定情報の形で格納されてよく、これにより、無線周波数装置が設置されている基地局は、設定情報に基づいて、これらの無線周波数装置のそれぞれを制御してそれぞれの補正リソース位置に補正信号を送信し、これらの補正信号を用いて、無線周波数装置グループ内の無線周波数装置のチャネル補正を実施する。当業者であれば、これらの補正信号が同じ信号であってよいことを理解できる。第１の補正信号及び第２の補正信号などの用語が以下に与えられるが、これらの用語は、これらの補正信号が異なる無線周波数装置によって送信されることを区別するのに用いられるのであって、これらの補正信号が異なることを示すのに用いられるのではない。もちろん、これらの補正信号は代替的に異なっていてもよいが、これがシステムオーバーヘッドの原因となる。各無線周波数装置は、別の無線周波数装置によって送信される補正信号を事前に認識する必要がある。
【００４９】
図３に示す通信システムでは、例えば、Ｎが４であり、無線周波数装置３１０−１〜３１０−４が同じ無線周波数装置グループにグループ化される。この無線周波数装置グループ内の各無線周波数装置の補正リソース位置が、無線周波数装置が設置されている基地局に事前設定される。このように、各無線周波数装置の基地局は、対応する無線周波数装置を制御して、事前設定された補正リソースにおいて補正信号を送信することができ、補正信号を受信できるグループ内の無線周波数装置が補正信号を受信できる。次に、２つの無線周波数装置によって互いに送信される補正信号と補正信号に対応する受信信号とを用いて、チャネル補正を行うことができる。図４を参照すると、図４では、各無線周波数装置のカバレッジエリアが六角形で表されており、各カバレッジエリアが無線周波数装置を表している。無線周波数装置３１０−１は補正リソースＬ１で補正信号を送信し、無線周波数装置３１０−２及び３１０−３はその補正信号を受信する。無線周波数装置３１０−２は補正リソースＬ２で補正信号を送信し、無線周波数装置３１０−１及び３１０−３はその補正信号を受信する。無線周波数装置３１０−３は補正リソースＬ３で補正信号を送信し、無線周波数装置３１０−１、３１０−２、及び３１０−４はその補正信号を受信する。無線周波数装置３１０−４は補正リソースＬ４で補正信号を送信し、無線周波数装置３１０−３はその補正信号を受信する。このように、互いに送信される補正信号は、無線周波数装置３１０−１と無線周波数装置３１０−２との間、無線周波数装置３１０−１と無線周波数装置３１０−３との間、無線周波数装置３１０−２と無線周波数装置３１０−３との間、及び無線周波数装置３１０−３と無線周波数装置３１０−４との間でチャネル補正を行うのに用いられ得る。
【００５０】
無線周波数装置は補正信号を受信するが、無線周波数装置によって受信される信号は、初めに送信された信号ではないことに留意されたい。その代わりに、受信信号は無線周波数装置の送信チャネル及び無線周波数チャネルを用いた重み付けを経て取得される信号であり、この信号は補正信号に対応する受信信号と呼ばれる。チャネル補正が行われるときに、補正信号に対応する受信信号がチャネル補正に用いられる。
【００５１】
先行技術では、複数の無線周波数装置のうちの２つの間で連続して補正が行われる。例えば、無線周波数装置３１０−１と無線周波数装置３１０−２との間の補正リソースがまず設定され、無線周波数装置３１０−１及び無線周波数装置３１０−２は互いに補正信号を送信し、互いに送信された補正信号を用いてチャネル補正が行われる。次に、無線周波数装置３１０−１と無線周波数装置３１０−３との間の補正リソースが設定され、無線周波数装置３１０−１及び無線周波数装置３１０−３は互いに補正信号を送信し、互いに送信された補正信号に対応する受信信号を用いてチャネル補正が行われる。無線周波数装置３１０−２と無線周波数装置３１０−３との間のチャネル補正、及び無線周波数装置３１０−３と無線周波数装置３１０−４との間のチャネル補正も同様である。この処理では、設定シグナリングが絶えず生成される必要があることが分かる。その結果、大きな設定シグナリングオーバーヘッドが生じ、効率が低くなり、必要とされる時間が比較的長くなる。しかしながら、本出願のこの実施形態では、無線周波数装置はグループ化され、各無線周波数装置グループ内の無線周波数装置の補正リソースが事前設定される。ある無線周波数装置が補正信号を送信する場合、その他の無線周波数装置の一部又は全てがその補正信号を同時に受信することができる。これで、設定シグナリングオーバーヘッドを大幅に削減することができ、これにより、チャネル補正効率が改善される。
【００５２】
無線周波数装置３１０−１と無線周波数装置３１０−４との間では、チャネル補正が直接行われないことに留意されたい。しかしながら、無線周波数装置３１０−４は無線周波数装置３１０−３のチャネルに対して補正を行い、無線周波数装置３１０−３は無線周波数装置３１０−１のチャネルに対して補正を行う。これは、無線周波数装置３１０−４が無線周波数装置３１０−１に対してチャネル補正を行うことに相当する。さらに、無線周波数装置３１０−１は無線周波数装置３１０−３のチャネルに対して補正を行い、無線周波数装置３１０−３は無線周波数装置３１０−４のチャネルに対して補正を行う。これは、無線周波数装置３１０−１が無線周波数装置３１０−４に対してチャネル補正を行ことに相当する。したがって、これは、無線周波数装置３１０−１と無線周波数装置３１０−４との間でチャネル補正が行われることに相当し、さらにチャネル補正効率が改善される。
【００５３】
無線周波数装置グループ内の無線周波数装置のうちの任意の２つの補正信号が、互いに到達可能であることが分かる。あるいは、この要件は満たされなくてよく、正しい経路のみが到達可能である必要がある。補正経路が到達可能であるということは、無線周波数装置グループ内の任意の２つの無線周波数装置の間のチャネル補正が直接行われてもよく、又はその２つの無線周波数装置と中間無線周波数装置との間のチャネル補正を通じて行われてもよいことを意味する。中間無線周波数装置は１つ又は複数あってよい。
【００５４】
上述のことは、一例として用いられているだけである。無線周波数装置グループ内の無線周波数装置間の補正関係は、本出願のこの実施形態において限定されない。言い換えれば、ある無線周波数装置（例えば、第１の無線周波数装置）が補正信号を送信する場合、その他の全ての無線周波数装置はその補正信号を受信することができる。又は、その他の無線周波数装置の一部（例えば、第２の無線周波数装置及び第３の無線周波数装置）がその補正信号を受信してもよい。補正信号を受信しない無線周波数装置（例えば、第４の無線周波数装置）が、信号を受信できる無線周波数装置（例えば、第３の無線周波数装置）を介して、第１の無線周波数装置とのチャネル補正を実施する。
【００５５】
上述の実施形態では、ネットワークエリア内の無線周波数装置がグループ化され、無線周波数装置グループ内の各無線周波数装置の補正リソース位置が設定されることが分かる。このように、グループ内の各無線周波数装置は、設定情報に基づいて、それぞれの補正リソース位置で補正信号を送信し、その他の無線周波数装置の一部又は全ての補正リソース位置で補正信号を受信する。先行技術における対ごとのチャネル補正方式と比較すると、この方法では、補正リソースを毎回設定する必要がなく、多数の設定シグナリングを節約し、チャネル補正効率を改善することができる。グループ内の無線周波数装置の数が大きくなると、補正効率の改善がより明らかに示される。さらに、グループ内の無線周波数装置はチャネル補正を同時に行うことができるので、補正効率がさらに改善される。確認が行われた後に、この方式では補正周期を第２のレベルに短縮することができる。これにより、ＤＭＩＭＯシナリオなどの、チャネル補正周期に対する比較的高い要件を有するシナリオに性能基準が提供される。
【００５６】
ネットワークエリア全体に複数の無線周波数装置グループがある場合、これらの無線周波数装置グループの設定情報が同時に計画されてよい。これは、無線周波数装置グループ間の補正リソースをより適切に計画するのに役立てることができる。例えば、無線周波数装置グループに対して設定が行われる場合、全ての無線周波数装置グループの間のアイソレーションが総合的に考慮されてよく、補正リソースがアイソレーションに基づいて計画される。高アイソレーションを有するグループ間で補正リソースが再利用される。言い換えれば、同じリソースが補正信号を送信するのに用いられ、これにより、リソースの節約を実現することができる。さらに、設定情報が計画されて、対応する基地局に同時に設定される。これにより、基地局が対方式でチャネル補正を行うときに必要な設定メッセージのオーバーヘッドを削減することができる。
【００５７】
図５を参照すると、図５は、本出願の一実施形態によるチャネル補正方法のシナリオの概略図である。図５に示すように、ネットワークエリアには複数の無線周波数装置がある。それぞれの六角形は１つの無線周波数装置のカバレッジエリアを表し、無線周波数装置は、それぞれの六角形が１つの無線周波数装置を表し得るということに基づいてグループ化される。同じグループ内の無線周波数装置が同じ番号で示されており、その番号は基本番号及び上付き記号を含む。同じ基本番号と異なる上付き記号とを有するグループ間のアイソレーションが比較的大きいので、補正リソースが再利用されてよい。言い換えれば、同じリソースが補正信号を送信するのに用いられる。例えば、図中に矢印で示すように、４、４´、及び４´´の番号を付けられた無線周波数装置グループが、補正リソースを再利用してよい。この区域の無線周波数装置は複数のグループに分類され、各グループには複数の無線周波数装置がある。本明細書では簡略化するために、各グループに３つの無線周波数装置がある一例が用いられている。実際の応用においては、より多くの無線周波数装置が含まれてよい。
【００５８】
同じ無線周波数装置グループでは、無線周波数装置グループ内のある無線周波数装置が補正信号を送信するリソース位置が設定されてよい。例えば、無線周波数装置グループ１の場合、無線周波数装置５１１が補正信号を第１のリソース位置で送信し、無線周波数装置５１２が補正信号を第２のリソース位置で送信し、無線周波数装置５１３が補正信号を第３のリソース位置で送信する。これらのリソース位置に関する情報が、無線周波数装置５１１、５１２、及び５１３が設置されている基地局に設定情報の形で格納される。無線周波数装置５１１、５１２、及び５１３は、同じ基地局又は異なる基地局に設置されてよい。無線周波数装置５１１、５１２、及び５１３が異なる基地局に設置されるということは、無線周波数装置５１１、５１２、及び５１３の一部が異なる基地局に設置されてよく、又は、無線周波数装置５１１、５１２、及び５１３の全てが異なる基地局に設置されてもよいことを意味し得る。あるいは、無線周波数装置５１１、５１２、及び５１３は異なるＢＢＵに設置されてもよく、これらのＢＢＵは集中方式で配置されてＢＢＵクラウドを構成する。
【００５９】
無線周波数装置５１１が設置されている基地局が、格納された設定情報に基づいて、無線周波数装置５１１を制御して補正信号を第１のリソース位置で送信する。無線周波数装置５１２及び５１３が設置されている基地局が、格納された設定情報に基づいて、補正信号に対応する受信信号を第１のリソース位置で無線周波数装置５１２及び５１３を介して取得する。無線周波数装置５１２及び５１３が設置されている基地局が、無線周波数装置５１２及び５１３によって受信された受信信号を無線周波数装置５１１に送信する。無線周波数装置５１１が設置されている基地局は次に、格納された設定情報に基づいて第２のリソース位置で無線周波数装置５１１を介して、無線周波数装置５１２によって送信された補正信号に対応する受信信号を取得し、その後、無線周波数装置５１１及び無線周波数装置５１２によって送信された補正信号とこれらの補正信号の受信信号とに基づいて、無線周波数装置５１１と無線周波数装置５１２との間でチャネル補正を行う。同様に、無線周波数装置５１１が設置されている基地局は、格納された設定情報に基づいて第３のリソース位置で無線周波数装置５１１を介して、無線周波数装置５１３によって送信された補正信号に対応する受信信号を取得し、無線周波数装置５１１と無線周波数装置５１３との間でチャネル補正を行う。無線周波数装置５１２及び無線周波数装置５１３のチャネル補正処理は上述の説明と同じなので、詳細はここで繰り返さない。
【００６０】
本出願では、同じグループ内の無線周波数装置間で並列チャネル補正を行うことができるので、チャネル補正効率が改善されることが分かる。さらに、同じ補正リソースが、高アイソレーションのグループ間でも用いられ得る。このように、ネットワーク全体の観点から、補正効率のさらなる改善が実現される。
【００６１】
上述のチャネル補正方法は、事前設定された設定情報に基づいて、基地局が基地局内の無線周波数装置を制御して補正信号を受信及び送信することによって実現され得る。詳細が、図６を参照して以下に説明される。
【００６２】
図６を参照すると、図６は、本出願の一実施形態によるチャネル補正方法のフローチャートである。このチャネル補正方法は、ネットワークエリア内の無線周波数装置でチャネル補正を行うのに用いられる。ネットワークエリア内の無線周波数装置は、少なくとも１つの無線周波数装置グループに分類される。それぞれの無線周波数装置グループには複数の無線周波数装置が含まれており、グループ内の複数の無線周波数装置間の補正経路が到達可能である。任意の無線周波数装置が設置されている基地局に設定情報が事前設定され、この設定情報は、無線周波数装置が属する無線周波数装置グループ内の各無線周波数装置が補正信号を送信するリソース位置を示すのに用いられる。任意の無線周波数装置が第１の無線周波数装置であるという一例が用いられている。本方法は、第１の無線周波数装置が設置されている基地局によって行われる。図６に示すように、本方法は以下の段階を含む。
【００６３】
Ｓ６１０：設定情報に基づいて補正周期内で、第１の無線周波数装置を制御して第１の補正信号を第１のリソース位置で送信し、第１の補正信号に対応する第１の受信信号を第２の無線周波数装置から取得する。第１のリソース位置は第１の無線周波数装置が補正信号を送信するリソース位置であり、第２の無線周波数装置は第１の無線周波数装置が属する無線周波数装置グループ内の無線周波数装置である。
【００６４】
Ｓ６２０：設定情報に基づいて補正周期内で、第１の無線周波数装置を介して第２の受信信号を第２のリソース位置で取得する。第２の受信信号は第２の補正信号に対応し、第２のリソース位置は第２の無線周波数装置が第２の補正信号を送信するリソース位置である。
【００６５】
Ｓ６３０：第１の補正信号、第２の補正信号、第１の受信信号、及び第２の受信信号に基づいて、第１の無線周波数装置のチャネルを補償する。
【００６６】
第１の無線周波数装置及び第２の無線周波数装置が同じ基地局に設置されている場合、この基地局はローカルで第１の受信信号を直接取得してよい。第１の無線周波数装置及び第２の無線周波数装置が同じ基地局に設置されているということは、第１の無線周波数装置及び第２の無線周波数装置が同じベースバンド装置に設置されているという場合、又は第１の無線周波数装置及び第２の無線周波数装置が異なるベースバンド装置に設置されているという場合を含む。第１の無線周波数装置及び第２の無線周波数装置が同じベースバンド装置に設置されている場合、第１の受信信号は直接取得されてよく、第１の無線周波数装置及び第２の無線周波数装置が異なるベースバンド装置に設置されている場合、第１の無線周波数装置が設置されているベースバンド装置が、第２の無線周波数装置が設置されているベースバンド装置から第１の受信信号を受信する。第１の無線周波数装置及び第２の無線周波数装置が異なる基地局に設置されている場合、第１の無線周波数装置が設置されている基地局が、第２の無線周波数装置が設置されている基地局から第１の受信信号を取得してよい。ＢＢＵクラウド構造では、第１の無線周波数装置及び第２の無線周波数装置は異なるＢＢＵに設置されるが、これらのＢＢＵは集中方式で配置されているので、受信信号を互いから短時間で取得することができる。
【００６７】
第１の無線周波数装置が属する無線周波数装置グループは、複数の第２の無線周波数装置を含んでよい。これらの第２の無線周波数装置によって用いられる補正リソースは異なる。言い換えれば、複数の第２の無線周波数装置は、それぞれの第２のリソース位置で補正信号を個別に送信するので、これらの第２のリソース位置は異なる。第１の無線周波数装置が属する無線周波数装置グループはさらに、第３の無線周波数装置を含んでよく、第３の無線周波数装置は第２の無線周波数装置又は第４の無線周波数装置を介して第１の無線周波数装置とのチャネル補正を実施する。第３の無線周波数装置の数は限定されない。１つ又は複数の第３の無線周波数装置があってよく、複数の第３の無線周波数装置の補正リソース位置は異なる。
【００６８】
ネットワークエリア内の無線周波数装置をグループ化するために、グループ化要因が必要に応じて選択されてよい。例えば、グループ化要因は以下の要因を含んでよい。すなわち、アイソレーション要件、無線周波数装置間の最大間隔、グループサイズ、最大レイヤ数などである。これらの要因は用いるために組み合わされてよく、これらの要因のうち１つ又は複数が用いるために組み合わされてよい。アイソレーション要件が、その他の要因のうち１つ又は複数と組み合わせて用いるために選択されるのが好ましい。さらに、アイソレーション要件が選択された場合、最大レイヤ数は選択される必要がない。
【００６９】
例えば、要因、すなわちアイソレーション要件がグループ化を行うために考慮される場合、アイソレーション要件を満たす無線周波数装置が１つのグループにグループ化されてよい。アイソレーションが、信号強度を用いて表され得る。例えば、無線周波数装置Ａが信号を送信し、無線周波数装置Ｂがその信号を受信する。受信信号の強度が事前設定閾値より小さい場合、無線周波数装置Ａ及びＢは１つの無線周波数装置グループにグループ化されてよい。信号強度は、基準信号受信電力（ｒｅｆｅｒｅｎｃｅ  ｓｉｇｎａｌ  ｒｅｃｅｉｖｅｄ  ｐｏｗｅｒ、ＲＳＲＰ）であってよい。要因、すなわち無線周波数装置間の最大間隔がグループ化を行うために考慮される場合、最大間隔内の距離（最大距離を含む）にある無線周波数装置が１つの無線周波数装置グループにグループ化されてよい。要因、すなわち無線周波数装置のグループサイズがグループ化を行うために考慮される場合、無線周波数装置グループ内の無線周波数装置の数がこのサイズを超えることはない。要因、すなわち最大レイヤ数がグループ化を行うために考慮される場合、無線周波数装置グループ内の無線周波数装置によってカバーされるセル間の隣接セルの最大レイヤ数が、最大レイヤ数を超えることはない。例えば、最大レイヤ数は３であり、セル１の隣接セルがセル２を含み、セル２の隣接セルがセル４を含む。セル１、セル２、及びセル４の無線周波数装置が同じ無線周波数装置グループに属する場合、セル４の隣接セルの無線周波数装置がこの無線周波数装置グループに属することはできない。そうでなければ、最大レイヤ数は３を超える。もちろん、セル１及びセル２の隣接セルは代替的に他のセルを含んでよく、その他のセルも同じ無線周波数装置グループによってカバーされるセル間の隣接セルの最大レイヤ数が３を超えないことを満たす必要がある。
【００７０】
本出願では、グループ化アルゴリズムが限定されていないので、当業者であれば、異なるアルゴリズムを用いて、選択されたグループ化要因に基づいてグループ化を行ってよい。例えば、グループ化要因（最大間隔、最大レイヤ数、アイソレーション要件、及びグループサイズなど）を対方式で満たす無線周波数装置が、ネットワークエリア内の無線周波数装置の全ての組み合わせを検討することによって取得されてよい。複数の事前設定されたグループが、グループ化要因を対方式で満たす無線周波数装置に基づいて取得される。事前設定された各グループのゲイン総計が評価され、最適ゲイン総計に対応するグループ化方式を取得する。
【００７１】
グループ化が完了した後に、グループ識別子（ＩＤ）が各グループに割り当てられてよい。グループＩＤは、無線周波数装置グループ間で補正リソースの割り当てを実施するのに用いられてよく、その結果、補正リソースの再利用及び互い違いの配置が実施される。補正リソースは、時間リソース、周波数リソース、又は空間リソースであってよく、これは本出願において限定されていない。一例として、時間リソースが用いられる。補正のための時間リソース位置が、グループＩＤに基づいて無線周波数装置グループに割り当てられてよい。高アイソレーションの無線周波数装置グループが同じ時間リソースを用いて補正信号を送信してよく、また低アイソレーションの無線周波数装置グループ用の時間リソースが、補正を同時に行ったときに生じる相互干渉を回避するために互い違いに配置される。例えば、グループＩＤが特定の基準に基づいて割り当てられる。ある基準は、例えば、高アイソレーションの無線周波数装置グループの［グループＩＤ  ｍｏｄ  Ｎ］の演算結果が同じであること、低アイソレーションの無線周波数装置グループの［グループＩＤ  ｍｏｄ  Ｎ］の演算結果が異なることであってよい。ここでＮは、補正周期内に配置できる無線周波数装置グループの数を表す。このように、補正リソースの割り当てはグループＩＤを用いて自動的に実施され得る。例えば、無線周波数装置グループ間に補正リソースを割り当てるための基準には、［グループＩＤ  ｍｏｄ  Ｎ］の演算結果が同じになる無線周波数装置グループに同じ補正リソースが割り当てられることと、［グループＩＤ  ｍｏｄ  Ｎ］の演算結果が異なる無線周波数装置グループに異なる補正リソースが割り当てられることとが含まれる。一例として、時間リソースが用いられる。［グループＩＤ  ｍｏｄ  Ｎ］の演算結果が同じになる無線周波数装置グループ用の補正リソースに同じ時間位置が割り当てられ、［グループＩＤ  ｍｏｄ  Ｎ］の演算結果が異なる無線周波数装置グループ用の補正リソースに異なる時間位置が割り当てられる。
【００７２】
アイソレーションが事前設定条件を満たしている（又は、高い−低い）かどうかが、事前設定されたアイソレーション閾値を用いて判定されてよいことに留意されたい。例えば、アイソレーションが閾値より大きい場合、アイソレーションは事前設定条件を満たしている（又は、アイソレーションは高い）ので、補正信号を送信するのにリソースが再利用されてよい。アイソレーションが閾値より小さい場合、アイソレーションは事前設定条件を満たしていない（又は、アイソレーションは低い）ので、補正信号を送信するのにリソースが互い違いに配置される。アイソレーションが閾値に等しい場合、リソースが再利用されてもよく、又はリソースが互い違いに配置されてもよい。２つの無線周波数装置グループの間のアイソレーションが、２つの無線周波数装置グループ内の無線周波数装置間のアイソレーションで表されてよい。例えば、無線周波数装置グループ１と無線周波数装置グループ４との間のアイソレーションが事前設定条件を満たしていない（又は、アイソレーションが低い）ということは、無線周波数装置グループ１内の任意の無線周波数装置と無線周波数装置グループ４内の任意の無線周波数装置との間のアイソレーションが閾値より小さいことを意味する。無線周波数装置グループ４と無線周波数装置グループ４´との間のアイソレーションが事前設定条件を満たしている（又は、アイソレーションが高い）ということは、無線周波数装置グループ４内の任意の無線周波数装置と無線周波数装置グループ４´内の任意の無線周波数装置との間のアイソレーションが閾値より大きいことを意味する。
【００７３】
さらに、ネットワークエリア内の無線周波数装置グループ用のリソースを計画する処理では、無線周波数装置グループの数と、時間領域リソース、周波数領域リソース、及び空間領域リソースのうち１つ又は複数とに基づいて、リソースが無線周波数装置グループ間に互い違いに配置される。比較的少数の無線周波数装置グループが補正周期内に配置される場合、これらの無線周波数装置グループ用の補正リソースが時間領域内で直接分割されてよく、比較的多数の無線周波数装置グループが補正周期内に配置され、時間領域内の分割では不十分な場合、さらなる分割が時間領域に基づいて周波数領域内で行われてよい。周波数領域内の分割では不十分な場合、さらなる分割が周波数領域に基づいて空間領域内で行われてよい。一例として、以下の表１に示すリソース分割が用いられる。
【表１】
2019526185.tif 000003
【００７４】
表１に示すように、１行目は時間領域リソースを表す。時間領域リソースが、８個の無線周波数装置グループ用に分割され得ると仮定する。８個又はそれより少ない無線周波数装置グループにだけ補正リソースを互い違いに配置する必要がある場合、これらのリソースは時間領域内に互い違いに配置され、リソース割り当てが完了する。８個を超える無線周波数装置グループに補正リソースを互い違いに配置する必要がある場合、周波数領域リソースが時間領域リソースの各ブロックにさらに互い違いに配置されてよい。例えば、無線周波数装置グループ１及び無線周波数装置グループ９が両方とも時間領域リソース０を用いるが、周波数領域リソース０及び１が周波数領域で個別に用いられる。同様に、さらに多くの無線周波数装置グループにリソースを互い違いに配置する必要があり、周波数領域リソースでは要件を満たすのに不十分な場合、リソースは符号分割を通じてさらに互い違いに配置されてよい。本明細書において、これはリソースを互い違いに配置する単なる一例に過ぎず、本出願を限定するのに用いられるものではない。例えば、リソースは、まず周波数領域に互い違いに配置され、次に時間領域に互い違いに配置されてもよい。
【００７５】
一実施形態において、無線周波数装置グループ内の無線周波数装置が、補正信号の受信状態及び送信状態の切り替えを異なる順序で行い、信号強度測定を行い、測定された信号強度に基づいて、最適な受信／送信順序を最適補正経路として選択するように代替的に構成されてよい。最適補正経路は、無線周波数装置グループ内のある無線周波数装置が設置されている基地局に構成され、これにより、基地局は、最適補正経路に基づいて基地局内の無線周波数装置を制御して補正信号を送信する。例えば、無線周波数装置グループ１内の無線周波数装置が複数の順序で補正信号を送信する。ここで、複数の順序とは次の通りである。順序１：無線周波数装置５１１、無線周波数装置５１２、それから無線周波数装置５１３。順序２：無線周波数装置５１１、無線周波数装置５１３、それから無線周波数装置５１２。順序３：無線周波数装置５１２、無線周波数装置５１１、それから無線周波数装置５１３。順序４：無線周波数装置５１２、無線周波数装置５１３、それから無線周波数装置５１１。順序５：無線周波数装置５１３、無線周波数装置５１２、それから無線周波数装置５１１。順序６：無線周波数装置５１３、無線周波数装置５１１、それから無線周波数装置５１２。これらの無線周波数装置が設置されている基地局は、これらの無線周波数装置を個別に制御して補正信号をこれらの順序で送信し、最も高い補正効率に対応する順序が最適補正経路として選択される。最適補正経路は、次の補正処理の補正に用いられる。
【００７６】
以下では、図６及び図７を参照して上述の処理を説明する。図６は補正周期内の補正処理を示す。図６に示す補正処理を完了するために、異なる補正順序が異なる補正周期で用いられてよい。最適補正効率に対応する補正順序が最適補正経路として選択され、最適補正経路が格納される。最適補正経路は、補正効率をさらに改善するために次の補正処理に用いられる。また、本方法はさらに、図７に示す段階を含む。
【００７７】
Ｓ７１０：第１の無線周波数装置が設置されている基地局は、第１の無線周波数装置を制御して複数の補正周期において補正信号を複数の事前設定順序で送信する。各順序は、第１の無線周波数装置が属する無線周波数装置グループ内の無線周波数装置によって補正信号を送信するための順序を示す。
【００７８】
Ｓ７２０：第１の無線周波数装置が設置されている基地局は、最も高い補正効率に対応する順序を最適補正経路として選択する。
【００７９】
Ｓ７３０：第１の無線周波数装置が設置されている基地局は、最適補正経路に基づいて次の補正を行う。
【００８０】
各補正周期における補正処理については、図６の説明を参照されたい。詳細はここで繰り返さない。
【００８１】
好ましい実施形態において、補正周期はさらに複数の期間に分割されてよく、各期間は補正副周期として用いられてよい。補正周期は完全補正用の長周期として用いられてよく、言い換えれば、補正される必要がある全てのパラメータ（パラメータ値とも呼ばれる）が補正される。もちろん、これらのパラメータの大部分（補正副周期で補正される特定のパラメータを除く）が代替的に補正されてもよい。例えば、各周波数の振幅、位相などが含まれる。補正副周期はより短く、具体的には、特定のパラメータ、例えば、初期位相などの短時間で変化するパラメータを補正するのに用いられてよい。このように、階層的な補正を実施することができ、これにより、短時間で変化するパラメータに対してより短時間の補正周期を実現することができ、補正効率がさらに改善され得る。
【００８２】
補正周期は均等に分割されてもそうでなくてもよく、このことは本出願において限定されていないことに留意されたい。
【００８３】
さらに、長周期補正では、異なる無線周波数装置グループ用の補正リソースが時間領域において分割されてよく、補正副周期での補正では、異なる無線周波数装置グループ用の補正リソースがさらに周波数領域において分割されてもよい。このように、無線周波数装置グループ間の周波数領域におけるアイソレーションがさらに実現され得る。
【００８４】
当業者に知られている、無線周波数装置間で互いに送信される補正信号に基づいてチャネル補正を行うための方法は、本出願のチャネル補正方法に適用され得る。その後に開発されるより多くの方法も、本出願のチャネル補正方法に適用されてよい。ここで、補正信号に基づいてチャネル補正を行うための方法を、一例を用いて説明する。これは、本出願を限定するのに用いられるものではない。
【００８５】
一例として、無線周波数装置１と無線周波数装置２との間のチャネル補正が用いられる。無線周波数装置のカバレッジエリア内のセル１の送受信機チャネル１が、無線周波数装置１と無線周波数装置２との間の補正の間に基準送受信機チャネルの役割を果たす。無線周波数装置２のカバレッジエリア内のセル１のアンテナユニット１とセル２のアンテナユニット２とが、補正用の送受信機アンテナ対の役割を果たす。最初に、セル１は送信モードで動作しており、セル２は受信モードで動作している。セル１は補正信号を送信し、セル２はセル１によって送信された補正信号を受信する。セル２によって受信された信号は、次のように表され得る。
【数１】
2019526185.tif 000004
【００８６】
次に、セル２は送信モードで動作しており、セル１は受信モードで動作している。セル２は補正信号を送信し、セル１はセル２によって送信された補正信号を受信する。セル１によって受信された信号は次のように表され得る。
【数２】
2019526185.tif 000005
【００８７】
Ｓ１及びＳ２は既知の補正信号、すなわち、セル１及びセル２によってそれぞれ送信された補正信号である。異なるセルアンテナ間のチャネルは異質性を有する。すなわち、Ｈ２１，１１＝Ｈ１１，２１である。基地局のベースバンド部が受信信号を用いて、セル間補正補償係数を次のように推定する。
【数３】
2019526185.tif 000006
【００８８】
次に、セル間の送信チャネル及び受信チャネルが、補償係数に基づいて補償される。以下の式（４）は、上述の式（３）に従って求められ得る。
【数４】
2019526185.tif 000007
【００８９】
セル２のチャネル応答が、セル２の各受信チャネルにα１，２を乗じることによって補償され、これにより、セル１の送信チャネル応答に対する受信チャネル応答の比がセル２の比と同じになる。あるいは、セル２の各送信チャネルをα１，２で割ることによって、同じことが実現され得る。Ｔｉｊは、セルｉのチャネルｊの送信チャネル特性を表し、この特性には、ベースバンド信号処理ユニット、中間無線周波数ユニット、及び中間無線周波数ユニットとアンテナユニットとの間の接続チャネルの送信チャネル全体の特性が含まれる。Ｒｉｊは、セルｉのチャネルｊの受信チャネル特性を表し、この特性には、ベースバンド信号処理ユニット、中間無線周波数ユニット、及び中間無線周波数ユニットとアンテナユニットとの間の接続チャネルの受信チャネル全体の特性が含まれる。Ｈｉｊ，ｋｌは、セルｉのアンテナユニットｊとセルｋのアンテナユニットｌとの間の無線インタフェースチャネル応答を表す。Ｙｉｊ，ｋｌは、セルｉの送信チャネルｊによって送信され、セルｋの受信チャネルｌによって受信される信号を表す。Ｓｉは、セルｉによって送信されるセル間補正基準信号を表す。αｉ，ｋは、セルｋに対するセルｉのチャネル間補正補償係数を表す。
【００９０】
上述の実施形態において、補正信号は時分割複信（ｔｉｍｅ  ｄｉｖｉｓｉｏｎ  ｄｕｐｌｅｘ、ＴＤＤ）システムのガード期間（ｇｕａｒｄ  ｐｅｒｉｏｄ、ＧＰ）内で送信されてよいことに留意されたい。周波数分割複信（ｆｒｅｑｕｅｎｃｙ  ｄｉｖｉｓｉｏｎ  ｄｕｐｌｅｘ、ＦＤＤ）システムでは、１つのタイムスロットが補正のために犠牲になり得る。
【００９１】
設定情報は基地局に事前設定されてよく、チャネル補正方法は設定情報に基づいて実現される。以下では、チャネル補正方法を実現するための装置を詳細に説明する。本装置は、基地局のベースバンド部又は基地局の無線周波数部に設置されてよい。本装置は、基地局のベースバンド部に配置されるのが好ましい。
【００９２】
図８を参照すると、図８は、本出願の一実施形態によるチャネル補正装置の概略図である。図８に示すように、装置８００は、ネットワークエリア内の無線周波数装置に対してチャネル補正を行うように構成される。ネットワークエリア内の無線周波数装置は少なくとも１つの無線周波数装置グループに分類され、それぞれの無線周波数装置グループには複数の無線周波数装置が含まれる。複数の無線周波数装置間の補正経路が到達可能であり、第１の無線周波数装置が設置されている基地局に設定情報が事前設定されており、設定情報は、第１の無線周波数装置が属している無線周波数装置グループ内の各無線周波数装置が補正信号を送信するリソース位置を示すのに用いられ、第１の無線周波数装置はネットワークエリア内の任意の無線周波数装置である。チャネル補正装置は、第１の無線周波数装置が設置されている基地局に設置され、上述のチャネル補正方法の各段階を行うためのユニットを含む。例えば、装置８００は、第１の制御ユニット８１０と、取得ユニット８２０と、補償ユニット８３０とを含む。第１の制御ユニット８１０は、設定情報に基づいて補正周期内で、第１の無線周波数装置を制御して第１の補正信号を第１のリソース位置で送信し、第１の補正信号に対応する第１の受信信号を第２の無線周波数装置から取得するように構成される。第１のリソース位置は第１の無線周波数装置が補正信号を送信するリソース位置であり、第２の無線周波数装置は第１の無線周波数装置が属する無線周波数装置グループ内の無線周波数装置である。取得ユニット８２０は、設定情報に基づいて補正周期内で、第１の無線周波数装置を介して第２の受信信号を第２のリソース位置で取得するように構成される。第２の受信信号は第２の補正信号に対応し、第２のリソース位置は第２の無線周波数装置が第２の補正信号を送信するリソース位置である。補償ユニット８３０は、第１の補正信号、第２の補正信号、第１の受信信号、及び第２の受信信号に基づいて、第１の無線周波数装置のチャネルを補償するように構成される。
【００９３】
無線周波数装置をグループ化する場合については、グループ間での補正リソースの再利用及び互い違いの配置に関する説明が、上述の実施形態における説明と同じである。階層的な補正、すなわち、補正周期を複数の補正副周期に分割することについては、１つ又はいくつかのパラメータに対する補正の説明も上述の実施形態における説明と同じである。第２の無線周波数装置の数、及びチャネル補正が中間無線周波数装置を介して行われる必要がある複数の無線周波数装置を無線周波数装置グループが含むという場合については、これらの説明も上述の実施形態における説明と同じである。詳細はここで繰り返さない。
【００９４】
同様に、最適補正経路を選択する処理が上述の実施形態における処理と同じであり、装置８００は、最適補正経路を選択する上述の各段階を実現するためのユニットを含んでよい。例えば、図９を参照すると、装置８００は、第２の制御ユニット８４０と、選択ユニット８５０と、トリガユニット８６０とを含む。第２の制御ユニット８４０は、第１の無線周波数装置を制御して複数の補正周期において補正信号を複数の事前設定順序で送信するように構成される。各順序は、第１の無線周波数装置が属する無線周波数装置グループ内の無線周波数装置によって補正信号を送信するための順序を示す。選択ユニット８５０は、最も高い補正効率に対応する順序を最適補正経路として選択するように構成される。トリガユニット８６０は、最適補正経路に基づいて行われる次の補正をトリガするように構成される。
【００９５】
上述のユニットの分割は単なる論理機能の分割に過ぎないことを理解されたい。実際の実装においては、これらのユニットの一部又は全てが１つの物理エンティティに統合されてもよく、又は物理的に分離されてもよい。例えば、各ユニットは個別の処理要素であってよく、又は実装のために基地局のチップに組み込まれてもよい。さらに、これらのユニットはプログラムコードの形で基地局のメモリに格納されてもよく、これらのユニットの機能を実行するために、基地局の処理要素によって呼び出されてもよい。さらに、これらのユニットは、一緒に統合されてもよく、個別に実装されてもよい。本明細書における処理要素は、信号処理能力を備えた集積回路チップであってよい。実装プロセスにおいて、上述の方法の各段階又は各ユニットは、処理要素のハードウェア集積論理回路を用いて、又はソフトウェアの形の命令を用いて実装されてよい。処理要素は、中央演算処理装置（Ｃｅｎｔｒａｌ  Ｐｒｏｃｅｓｓｉｎｇ  Ｕｎｉｔ、ＣＰＵ）などの汎用プロセッサであってよく、又は、上述の方法を実現するための１つ又は複数の集積回路、例えば、１つ又は複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、１つ又は複数のマイクロプロセッサ（ｄｉｇｉｔａｌ  ｓｉｇｎａｌ  ｐｒｏｃｅｓｓｏｒ、ＤＳＰ）、あるいは１つ又は複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）などとして構成されてもよい。
【００９６】
図１０を参照すると、図１０は、本出願の一実施形態による基地局の概略構造図である。図１０に示すように、基地局は、アンテナ１０１と、無線周波数装置１０２と、ベースバンド装置１０３とを含む。アンテナ１０３は、無線周波数装置１０２に接続される。アップリンク方向では、無線周波数装置１０２は、端末によって送信された情報をアンテナ１０１を介して受信し、端末によって送信された情報を処理のためにベースバンド装置１０３に送信する。ダウンリンク方向では、ベースバンド装置１０３は端末の情報を処理して、処理された情報を無線周波数装置１０２に送信する。端末の情報を処理した後に、無線周波数装置１０２は処理された情報をアンテナ１０１を介して端末に送信する。
【００９７】
チャネル補正装置は、処理要素１０３１と記憶要素１０３２とを含むベースバンド装置１０３に設置されてよい。ベースバンド装置１０３は、例えば、少なくとも１つのベースバンド処理ボードを含んでよい。複数のチップがベースバンド処理ボード上に配置されている。図１０に示すように、これらのチップのうちの１つは、例えば、処理要素１０３１である。処理要素１０３１は記憶要素１０３２に接続され、記憶要素１０３２に含まれるプログラムを呼び出し、上述の方法の実施形態に示すオペレーションを行う。ベースバンド装置１０３はさらに、無線周波数装置１０２と情報を交換するように構成されたインタフェース１０３３を含んでよい。例えば、このインタフェースは、共通公衆無線インタフェース（ｃｏｍｍｏｎ  ｐｕｂｌｉｃ  ｒａｄｉｏ  ｉｎｔｅｒｆａｃｅ、ＣＰＲＩ）である。
【００９８】
別の例の場合、これらのユニットは、ベースバンド装置１０３の異なるチップを用いて実現されてもよく、又は、一緒に統合されてベースバンド装置１０３の１つのチップで実現されてもよい。あるいは、これらのユニットの機能がプログラムコードの形でベースバンド装置１０３の記憶要素に格納されてよく、プログラムコードはベースバンド装置１０３の１つの処理要素によって呼び出されて、各ユニットの機能を実現する。
【００９９】
本明細書における処理要素は、上述したものと同じであり、中央演算処理装置（ＣＰＵ）などの汎用プロセッサであってもよく、又は上述の方法を実現するように構成された１つ又は複数の集積回路、例えば、１つ又は複数の特定用途向け集積回路（ＡＳＩＣ）、１つ又は複数のマイクロプロセッサ（ＤＳＰ）、あるいは１つ又は複数のＦＰＧＡなどであってもよい。
【０１００】
記憶要素は、メモリであっても複数の記憶要素の集合名であってもよい。
【０１０１】
当業者であれば、上述の実施形態の説明によって、本発明がハードウェア、ファームウェア、又はこれらの組み合わせによって実現され得ることを明確に理解するであろう。本発明がソフトウェアによって実現される場合、上述の機能はコンピュータ可読媒体に格納されても、コンピュータ可読媒体に含まれる１つ又は複数の命令又はコードとして送信されてもよい。コンピュータ可読媒体は、コンピュータ記憶媒体及び通信媒体を含む。通信媒体は、コンピュータプログラムをある場所から別の場所に送信することができる任意の媒体を含む。記憶媒体は、コンピュータにアクセス可能な任意の利用可能な媒体であってよい。以下に一例を提供するが、制約を課すものではない。コンピュータ可読媒体は、ＲＡＭ、ＲＯＭ、ＥＥＰＲＯＭ、ＣＤ−ＲＯＭ、又は別の光ディスク記憶装置若しくはディスク記憶媒体、又は別の磁気記憶装置、又は期待されるプログラムコードを命令若しくはデータ構造の形で搬送又は格納することができ、コンピュータがアクセスできる任意の他の媒体を含んでよい。さらに、任意の接続がコンピュータ可読媒体として適切に定義されてよい。例えば、ソフトウェアが、ウェブサイト、サーバ、又は別のリモートソースから、同軸ケーブル、光ファイバ／ケーブル、ツイストペア、デジタル加入者回線（ＤＳＬ）、又は赤外線、無線及びマイクロ波などの無線技術を通じて送信される場合、同軸ケーブル、光ファイバ／ケーブル、ツイストペア、ＤＳＬ、又は赤外線、無線及びマイクロ波などの無線技術は、それらが属する媒体の固定に含まれる。
【０１０２】
つまり、上述されていることは、本発明の技術的解決手段の単なる例示的な実施形態に過ぎず、本発明の保護範囲を限定する意図はない。本発明の主旨及び原理から逸脱することなく行われる任意の修正、同等の置き換え、又は改善は、本発明の保護範囲に含まれるものとする。
【図１】
2019526185.tif 000008
【図２】
2019526185.tif 000009
【図３】
2019526185.tif 000010
【図４】
2019526185.tif 000011
【図５】
2019526185.tif 000012
【図６】
2019526185.tif 000013
【図７】
2019526185.tif 000014
【図８】
2019526185.tif 000015
【図９】
2019526185.tif 000016
【図１０】
2019526185.tif 000017
【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
ネットワークエリア内の無線周波数装置に対してチャネル補正を行うのに用いられるチャネル補正方法であって、前記ネットワークエリア内の前記無線周波数装置は少なくとも１つの無線周波数装置グループに分類され、それぞれの無線周波数装置グループには複数の無線周波数装置が含まれ、前記複数の無線周波数装置間の補正経路が到達可能であり、第１の無線周波数装置が設置されている基地局に設定情報が事前設定されており、前記設定情報は、前記第１の無線周波数装置が属している無線周波数装置グループ内の各無線周波数装置が補正信号を送信するリソース位置を示すのに用いられ、前記第１の無線周波数装置は前記ネットワークエリア内の任意の無線周波数装置であり、
前記チャネル補正方法は、
前記第１の無線周波数装置が設置されている前記基地局によって行われ、
前記設定情報に基づいて補正周期内で、前記第１の無線周波数装置を制御して第１の補正信号を第１のリソース位置で送信し、前記第１の補正信号に対応する第１の受信信号を第２の無線周波数装置から取得する段階であって、前記第１のリソース位置は前記第１の無線周波数装置が前記第１の補正信号を送信するリソース位置であり、前記第２の無線周波数装置は前記第１の無線周波数装置が属する前記無線周波数装置グループ内の無線周波数装置である、段階と、
前記設定情報に基づいて前記補正周期内で、前記第１の無線周波数装置を介して第２の受信信号を第２のリソース位置で取得する段階であって、前記第２の受信信号は第２の補正信号に対応し、前記第２のリソース位置は前記第２の無線周波数装置が前記第２の補正信号を送信するリソース位置である、段階と、
前記第１の補正信号、前記第２の補正信号、前記第１の受信信号、及び前記第２の受信信号に基づいて、前記第１の無線周波数装置のチャネルを補償する段階と
を備える、方法。
【請求項２】
前記補正周期は少なくとも１つの補正副周期を含み、前記補正副周期は前記補正周期内の期間であり、前記補正副周期は特定のパラメータに対して補正を行うのに用いられる、請求項１に記載の方法。
【請求項３】
前記ネットワークエリア内の前記無線周波数装置が複数の無線周波数装置グループに分類される場合、前記複数の無線周波数装置グループは、前記特定のパラメータに対する補正を異なる周波数リソースを用いて同じ補正周期内で行う無線周波数装置グループを含む、請求項２に記載の方法。
【請求項４】
前記ネットワークエリア内の前記無線周波数装置が複数の無線周波数装置グループに分類される場合、前記複数の無線周波数装置グループは、第１の無線周波数装置グループと第２の無線周波数装置グループとを含み、前記第１の無線周波数装置グループと前記第２の無線周波数装置グループとの間のアイソレーションが事前設定要件を満たし、前記第１の無線周波数装置グループ内の無線周波数装置及び前記第２の無線周波数装置グループ内の無線周波数装置は、同じリソースを用いて補正信号を送信する、請求項１から３のいずれか一項に記載の方法。
【請求項５】
前記ネットワークエリア内の前記無線周波数装置が複数の無線周波数装置グループに分類される場合、前記複数の無線周波数装置グループは、第３の無線周波数装置グループと第４の無線周波数装置グループとを含み、前記第３の無線周波数装置グループと前記第４の無線周波数装置グループとの間のアイソレーションが事前設定要件を満たさず、前記第３の無線周波数装置グループ内の無線周波数装置及び前記第４の無線周波数装置グループ内の無線周波数装置は、異なるリソースを用いて補正信号を送信する、請求項１から４のいずれか一項に記載の方法。
【請求項６】
前記ネットワークエリア内の前記無線周波数装置が、グループ化要因に基づいて少なくとも１つの無線周波数装置グループに分類され、前記グループ化要因は、アイソレーション要件、前記無線周波数装置間の最大間隔、グループサイズ、及び最大レイヤ数のうち１つ又は複数の要因を含む、請求項１から５のいずれか一項に記載の方法。
【請求項７】
前記ネットワークエリア内の前記無線周波数装置が複数の無線周波数装置グループに分類される場合、それぞれの無線周波数装置グループにグループ識別子が割り当てられる、請求項１から６のいずれか一項に記載の方法。
【請求項８】
アイソレーションが事前設定要件を満たしている無線周波数装置グループ同士の［グループ識別子  ｍｏｄ  Ｎ］の演算結果が同じになり、アイソレーションが事前設定要件を満たしていない無線周波数装置グループ同士の［グループ識別子  ｍｏｄ  Ｎ］の演算結果が異なり、Ｎは、補正周期内の無線周波数装置グループの数を表す、請求項７に記載の方法。
【請求項９】
前記グループ識別子は、前記無線周波数装置グループ間の補正リソースの割り当てに用いられる、請求項８に記載の方法。
【請求項１０】
前記無線周波数装置グループ間の前記補正リソースの前記割り当てに関する基準が、［グループ識別子  ｍｏｄ  Ｎ］の演算結果が同じになる無線周波数装置グループには同じ補正リソースが割り当てられることと、［グループ識別子  ｍｏｄ  Ｎ］の演算結果が異なる無線周波数装置グループには異なる補正リソースが割り当てられることとを含む、請求項９に記載の方法。
【請求項１１】
前記第１の無線周波数装置が設置されている前記基地局によって、前記第１の無線周波数装置を制御して複数の補正周期において補正信号を複数の事前設定順序で送信する段階であって、各順序は、前記第１の無線周波数装置が属する前記無線周波数装置グループ内の無線周波数装置によって補正信号を送信するための順序を示す、段階と、
前記第１の無線周波数装置が設置されている前記基地局によって、最も高い補正効率に対応する順序を最適補正経路として選択する段階と、
前記第１の無線周波数装置が設置されている前記基地局によって、前記最適補正経路に基づいて次の補正を行う段階と
をさらに備える、請求項１から１０のいずれか一項に記載の方法。
【請求項１２】
前記第１の無線周波数装置が属する前記無線周波数装置グループは第３の無線周波数装置を含み、前記第３の無線周波数装置は前記第２の無線周波数装置又は第４の無線周波数装置を介して前記第１の無線周波数装置とのチャネル補正を実施する、請求項１から１１のいずれか一項に記載の方法。
【請求項１３】
前記第１の無線周波数装置が属する前記無線周波数装置グループは複数の第２の無線周波数装置を含み、前記複数の第２の無線周波数装置は前記第１の補正信号を同時に受信し、前記複数の第２の無線周波数装置の第２のリソース位置が互いに異なる、請求項１から１２のいずれか一項に記載の方法。
【請求項１４】
ネットワークエリア内の無線周波数装置に対してチャネル補正を行うように構成されたチャネル補正装置であって、前記ネットワークエリア内の前記無線周波数装置は少なくとも１つの無線周波数装置グループに分類され、それぞれの無線周波数装置グループには複数の無線周波数装置が含まれ、前記複数の無線周波数装置間の補正経路が到達可能であり、第１の無線周波数装置が設置されている基地局に設定情報が事前設定されており、前記設定情報は、前記第１の無線周波数装置が属している無線周波数装置グループ内の各無線周波数装置が補正信号を送信するリソース位置を示すのに用いられ、前記第１の無線周波数装置は前記ネットワークエリア内の任意の無線周波数装置であり、
前記チャネル補正装置は、
前記第１の無線周波数装置が設置されている前記基地局に設置され、
前記設定情報に基づいて補正周期内で、前記第１の無線周波数装置を制御して第１の補正信号を第１のリソース位置で送信し、前記第１の補正信号に対応する第１の受信信号を第２の無線周波数装置から取得するように構成された第１の制御ユニットであって、前記第１のリソース位置は前記第１の無線周波数装置が前記第１の補正信号を送信するリソース位置であり、前記第２の無線周波数装置は前記第１の無線周波数装置が属する前記無線周波数装置グループ内の無線周波数装置である、第１の制御ユニットと、
前記設定情報に基づいて前記補正周期内で、前記第１の無線周波数装置を介して第２の受信信号を第２のリソース位置で取得するように構成された取得ユニットであって、前記第２の受信信号は第２の補正信号に対応し、前記第２のリソース位置は前記第２の無線周波数装置が前記第２の補正信号を送信するリソース位置である、取得ユニットと、
前記第１の補正信号、前記第２の補正信号、前記第１の受信信号、及び前記第２の受信信号に基づいて、前記第１の無線周波数装置のチャネルを補償するように構成された補償ユニットと
を備える、装置。
【請求項１５】
前記補正周期は少なくとも１つの補正副周期を含み、前記補正副周期は前記補正周期内の期間であり、前記補正副周期は特定のパラメータに対して補正を行うのに用いられる、請求項１４に記載の装置。
【請求項１６】
前記ネットワークエリア内の前記無線周波数装置が複数の無線周波数装置グループに分類される場合、前記複数の無線周波数装置グループは、前記特定のパラメータに対する補正を異なる周波数リソースを用いて同じ補正周期内で行う無線周波数装置グループを含む、請求項１５に記載の装置。
【請求項１７】
前記ネットワークエリア内の前記無線周波数装置が複数の無線周波数装置グループに分類される場合、前記複数の無線周波数装置グループは、第１の無線周波数装置グループと第２の無線周波数装置グループとを含み、前記第１の無線周波数装置グループと前記第２の無線周波数装置グループとの間のアイソレーションが事前設定要件を満たし、前記第１の無線周波数装置グループ内の無線周波数装置及び前記第２の無線周波数装置グループ内の無線周波数装置は、同じリソースを用いて補正信号を送信する、請求項１４から１６のいずれか一項に記載の装置。
【請求項１８】
前記ネットワークエリア内の前記無線周波数装置が複数の無線周波数装置グループに分類される場合、前記複数の無線周波数装置グループは、第３の無線周波数装置グループと第４の無線周波数装置グループとを含み、前記第３の無線周波数装置グループと前記第４の無線周波数装置グループとの間のアイソレーションが事前設定要件を満たさず、前記第３の無線周波数装置グループ内の無線周波数装置及び前記第４の無線周波数装置グループ内の無線周波数装置は、異なるリソースを用いて補正信号を送信する、請求項１４から１７のいずれか一項に記載の装置。
【請求項１９】
前記ネットワークエリア内の前記無線周波数装置が、グループ化要因に基づいて少なくとも１つの無線周波数装置グループに分類され、前記グループ化要因は、アイソレーション要件、前記無線周波数装置間の最大間隔、グループサイズ、及び最大レイヤ数のうち１つ又は複数の要因を含む、請求項１４から１８のいずれか一項に記載の装置。
【請求項２０】
前記ネットワークエリア内の前記無線周波数装置が複数の無線周波数装置グループに分類される場合、それぞれの無線周波数装置グループにグループ識別子が割り当てられる、請求項１４から１９のいずれか一項に記載の装置。
【請求項２１】
アイソレーションが事前設定要件を満たしている無線周波数装置グループ同士の［グループ識別子  ｍｏｄ  Ｎ］の演算結果が同じになり、アイソレーションが事前設定要件を満たしていない無線周波数装置グループ同士の［グループ識別子  ｍｏｄ  Ｎ］の演算結果が異なり、Ｎは、補正周期内の無線周波数装置グループの数を表す、請求項２０に記載の装置。
【請求項２２】
前記グループ識別子は、前記無線周波数装置グループ間の補正リソースの割り当てに用いられる、請求項２１に記載の装置。
【請求項２３】
前記無線周波数装置グループ間の前記補正リソースの前記割り当てに関する基準が、［グループ識別子  ｍｏｄ  Ｎ］の演算結果が同じになる無線周波数装置グループには同じ補正リソースが割り当てられることと、［グループ識別子  ｍｏｄ  Ｎ］の演算結果が異なる無線周波数装置グループには異なる補正リソースが割り当てられることとを含む、請求項２２に記載の装置。
【請求項２４】
前記第１の無線周波数装置を制御して複数の補正周期において補正信号を複数の事前設定順序で送信するように構成された第２の制御ユニットであって、各順序は、前記第１の無線周波数装置が属する前記無線周波数装置グループ内の無線周波数装置によって補正信号を送信するための順序を示す、第２の制御ユニットと、
最も高い補正効率に対応する順序を最適補正経路として選択するように構成された選択ユニットと、
前記最適補正経路に基づいて行われる次の補正をトリガするように構成されたトリガユニットと
をさらに備える、請求項１４から２３のいずれか一項に記載の装置。
【請求項２５】
前記第１の無線周波数装置が属する前記無線周波数装置グループは第３の無線周波数装置を含み、前記第３の無線周波数装置は前記第２の無線周波数装置又は第４の無線周波数装置を介して前記第１の無線周波数装置とのチャネル補正を実施する、請求項１４から２４のいずれか一項に記載の装置。
【請求項２６】
前記第１の無線周波数装置が属する前記無線周波数装置グループは複数の第２の無線周波数装置を含み、前記複数の第２の無線周波数装置は前記第１の補正信号を同時に受信し、前記複数の第２の無線周波数装置の第２のリソース位置が互いに異なる、請求項１４から２５のいずれか一項に記載の装置。
【請求項２７】
少なくとも１つの基地局を含む通信システムであって、前記少なくとも１つの基地局の無線周波数装置が少なくとも１つの無線周波数装置グループに分類され、それぞれの無線周波数装置グループには複数の無線周波数装置が含まれ、前記複数の無線周波数装置間の補正経路が到達可能であり、第１の無線周波数装置が設置されている基地局に設定情報が事前設定されており、前記設定情報は、前記第１の無線周波数装置が属している無線周波数装置グループ内の各無線周波数装置が補正信号を送信するリソース位置を示すのに用いられ、前記第１の無線周波数装置は前記ネットワークエリア内の任意の無線周波数装置であり、前記第１の無線周波数装置が設置されている前記基地局は、請求項１４から２６のいずれか一項に記載のチャネル補正装置を含む、通信システム。
【手続補正２】
【補正対象書類名】明細書
【補正対象項目名】０００４
【補正方法】変更
【補正の内容】
【０００４】
無線周波数装置のチャネル補正が、ＤＭＩＭＯを実施するための必要条件である。チャネル補正を用いると、グループ内の無線周波数装置のチャネルが同じ遅延時間を有し、これにより、無線周波数装置によって送信される信号が、端末に到達したときに同相で足し合わされ得、その結果、端末によって受信されるダウンリンク信号の強度が高められる。
【手続補正３】
【補正対象書類名】明細書
【補正対象項目名】００２３
【補正方法】変更
【補正の内容】
【００２３】
別の例の場合、第２の態様で提供される装置はさらに、最適補正経路を選択する処理の各段階を行うためのユニット又は手段を含む。例えば、本装置は、第１の無線周波数装置を制御して複数の補正周期において補正信号を複数の事前設定順序で送信するように構成された第２の制御ユニットであって、各順序は、第１の無線周波数装置が属する無線周波数装置グループ内の無線周波数装置によって補正信号を送信するための順序を示す、第２の制御ユニットと、最も高い補正効率に対応する順序を最適補正経路として選択するように構成された選択ユニットと、最適補正経路に基づいて行われる次の補正をトリガするように構成されたトリガユニットとを含む。
【手続補正４】
【補正対象書類名】明細書
【補正対象項目名】００９６
【補正方法】変更
【補正の内容】
【００９６】
図１０を参照すると、図１０は、本出願の一実施形態による基地局の概略構造図である。図１０に示すように、基地局は、アンテナ１０１と、無線周波数装置１０２と、ベースバンド装置１０３とを含む。アンテナ１０１は、無線周波数装置１０２に接続される。アップリンク方向では、無線周波数装置１０２は、端末によって送信された情報をアンテナ１０１を介して受信し、端末によって送信された情報を処理のためにベースバンド装置１０３に送信する。ダウンリンク方向では、ベースバンド装置１０３は端末の情報を処理して、処理された情報を無線周波数装置１０２に送信する。端末の情報を処理した後に、無線周波数装置１０２は処理された情報をアンテナ１０１を介して端末に送信する。
【国際調査報告】
2019526185.tif 000018
2019526185.tif 000019
2019526185.tif 000020
2019526185.tif 000021
2019526185.tif 000022